(57)【要約】      （修正有）【課題】部品点数を削減して組立工数とコストの削減を図ると共に、外側レンズ枠の内部構造を簡素化することができる偏心調整機構を備えたレンズ鏡筒を提供する。【解決手段】後側マスターレンズ群２６Ｂの各レンズＧ１〜Ｇ５を一体的に保持する外側レンズ枠５０の内部には、径方向に螺合された止めネジ１００のねじ込み量によって偏心調整のために光軸に対して直交方向に位置調整されるレンズＧ２′が内側レンズ枠９０に保持されて収容されている。レンズＧ２′を光軸に対して直交方向に偏心調整した際に、レンズＧ２′がその方向以外に変位しないようにするため、また、レンズＧ１の位置決めのため、レンズＧ２′の後側端部と前側端部には、光軸に対して直交する平面により形成された当接面９２、９４が形成されると共に、レンズＧ２′とレンズＧ１との間に押さえ環１００が配置される。【選択図】図２
2012042540.tif 000002
【特許請求の範囲】
【請求項１】
レンズ鏡筒の固定筒の内部に配置されるレンズ枠であって、複数のレンズにより構成されるレンズ群を一体的に保持すると共に、光軸方向の前端側と後端側に開口を有する円筒状の第１レンズ枠と、
前記レンズ群を構成する一部のレンズであって偏心調整を行う偏心調整用レンズを保持すると共に、前記第１レンズ枠の一方の挿入開口から挿入されて前記第１レンズ枠の内部に収容保持される円筒状の第２レンズ枠と、
前記第１レンズ枠の内周面に周方向に沿って径方向内向きに突出形成され、前記第１レンズ枠の内部に前記挿入開口から挿入する際の挿入側となる前記第２レンズ枠の挿入側端部又は前記偏心調整用レンズの挿入側端部を光軸方向に係止する係止部と、
前記第１レンズ枠の前記挿入開口から挿入されて前記偏心調整用レンズよりも前記挿入開口側に配置され、前記偏心調整用レンズの前記挿入側端部と反対側の非挿入側端部に当接する押さえ環と、
前記第１レンズ枠の前記挿入開口から挿入されて前記押さえ環よりも前記挿入開口側に配置され、前記押さえ環に当接する開口側レンズと、
前記第１レンズ枠の内部に収容保持された前記第２レンズ枠の位置に前記第１レンズ枠の外周面から内周面まで貫通するように径方向に形成されたネジ孔と、
前記ネジ孔に螺合されて前記第２レンズ枠の外周面に当接し、光軸と直交する方向に関して前記第２レンズ枠を前記第１レンズ枠に対して固定するネジであって、前記ネジ孔へのねじ込み量を調整することにより前記第２レンズ枠の固定位置を調整して前記第２レンズ枠に保持された前記偏心調整用レンズの偏心調整を行うための止めネジと、
前記レンズ鏡筒の少なくとも前記固定筒の外側から前記ネジ孔まで貫通するように径方向に設けられ、前記ネジ孔に螺合された前記止めネジのねじ込み量を調整するための工具が挿通される工具挿通孔と、
を備え、
前記偏心調整用レンズは、前記非挿入側端部において光軸に対して直交方向に摺動可能に前記押さえ環に当接する当接面を有し、該当接面は光軸に対して直交する平面により形成され、
前記押さえ環は、前記偏心調整用レンズの前記当接面に当接する端面を有し、該端面は光軸に対して直交する平面により形成されたこと、
を特徴とする偏心調整機構を備えたレンズ鏡筒。
【請求項２】
前記ネジ孔は、前記第１レンズ枠の周方向に沿って少なくとも３箇所以上の位置に形成されたことを特徴とする請求項１の偏心調整機構を備えたレンズ鏡筒。
【請求項３】
前記係止部は、前記第１レンズ枠の内部に形成された異なる内径の内周面の接続部分の段差において形成された光軸に対して直交する壁面であり、前記係止部に当接する前記第２レンズ枠の挿入側端部又は前記偏心調整用レンズの挿入側端部は、光軸に対して直交方向に摺動可能に前記壁面に当接する当接面を有し、該当接面は光軸に対して直交する平面により形成されたことを特徴とする請求項１、又は、２の偏心調整機構を備えたレンズ鏡筒。
【請求項４】
前記第２レンズ枠の外周面は、前記挿入側端部と反対側の非挿入側端部から前記挿入側端部に向けて徐々に拡径された傾斜面により形成されたことを特徴とする請求項１、２、又は、３の偏心調整機構を備えたレンズ鏡筒。
【請求項５】
前記第１レンズ枠に保持されるレンズ群は、前記レンズ鏡筒の固定筒の内部に配置される光学系のうちの後側マスターレンズ群であることを特徴とする請求項１、２、３、又は、４の偏心調整機構を備えたレンズ鏡筒。
【発明の詳細な説明】
【技術分野】
【０００１】
本発明は偏心調整機構を備えたレンズ鏡筒に係り、特にレンズ鏡筒の光学系を構成する所定のレンズを光軸に対して直交方向に位置調整して光学性能（解像度等）を向上させる偏心調整機構を備えたレンズ鏡筒に関する。
【背景技術】
【０００２】
一般に、放送用又は業務用のテレビカメラなどに使用されるレンズ鏡筒では、鏡筒内（固定筒内）にレンズを組み込んだ後、レンズの先端部にコリメータを取り付け、レンズの結像状態（像質）を観察しながらＭＴＦ（解像度）等の光学性能を向上させるためのレンズの偏心調整が行なわれている。レンズの偏心調整は、光軸に対する直交方向への位置調整、光軸周りの回転調整、倒れ角の調整などにより行なわれている。
【０００３】
また従来、鏡筒内にレンズを組み込んだ後、その状態で偏心調整を行えるようにするため、鏡筒の外部から工具などを使用して光学性能への影響の大きい一部のレンズを動かして偏心調整を行えるようにした偏心調整機構が提案されている。
【０００４】
例えば、特許文献１の偏心調整機構によれば、外側レンズ枠に一体的に保持された複数枚のレンズからなるレンズ群の一部のレンズが、外側レンズ枠の内部に配置された内側レンズ枠に偏心調整を行うレンズとして保持される。また、外側レンズ枠に内側レンズ枠と係合する偏心ピンが軸支される。そして、鏡筒の外部からその偏心ピンまで貫通した孔を通じて偏心ピンを回動調整すると、内側レンズ枠のレンズの倒れ角の調整が行えるようになっている。
【０００５】
特許文献２の偏心調整機構によれば、特許文献１と同様に外側レンズ枠に複数枚のレンズからなるレンズ群が保持され、その一部のレンズが偏心調整を行うレンズとして内側レンズ枠に保持される。また、内側レンズ枠の外周部にはギヤが形成される。そして、鏡筒の外側からそのギヤまで貫通する開口を通じてギヤと噛合する回転手段により内側レンズ枠を回転調整すると、内側レンズ枠のレンズの光軸周りの回転調整が行えるようになっている。
【０００６】
特許文献３の偏心調整機構によれば、偏心調整を行うレンズを保持するレンズ枠に光軸に対して直交方向に露出部が形成され、その露出部が鏡筒外部に露出するように配置される。そして、その露出部を調整用治具を用いて変位させると、光軸に対して直交方向へのレンズの位置調整が行えるようになっている。
【先行技術文献】
【特許文献】
【０００７】
【特許文献１】特開２０００−６６０７６号公報
【特許文献２】特開２０００−７５１８２号公報
【特許文献３】特開平１１−１７４３０１号公報
【発明の概要】
【発明が解決しようとする課題】
【０００８】
ところで、光軸に対して直交方向へのレンズの位置調整によって偏心調整を行う偏心調整機構を設ける場合に、特許文献３のように偏心調整を行うレンズのレンズ枠に鏡筒外部に露出する露出部を形成する構造にすると、その露出部を鏡筒に挿通配置するために鏡筒をそのレンズの位置で前後に分離できるようにする必要がある。このとき、鏡筒の構造上、偏心調整を行うことができるレンズが限定され、光学性能への影響が大きい偏心調整に最適なレンズ以外のレンズを偏心調整する構造とするか、又は、偏心調整に最適なレンズの位置に合わせて大幅に鏡筒の構造を変更しなければならないという欠点がある。
【０００９】
一方、光軸に対して直交方向へのレンズの位置調整によって偏心調整を行う偏心調整機構を設ける場合に、複数枚のレンズを１つのレンズ枠内に一体のレンズ群として光軸方向に精度良く位置決めした状態に保持させ、その内の一部のレンズを偏心調整を行う偏心調整用レンズとするときには、次のような機構が考えられる。即ち、特許文献１、２のように外側レンズ枠内に保持されたレンズ群のうち偏心調整を行う偏心調整用レンズを内側レンズ枠により保持し、外側レンズ枠に内側レンズ枠まで貫通する径方向のネジ孔を複数箇所に設けてそれらのネジ孔にネジを螺合させる。そして、鏡筒に外部からそれらのネジまで貫通する孔を形成する。これによれば、外側レンズ枠の各ネジを鏡筒外部から孔を通じて回動調整することにより、内側レンズ枠に保持された偏心調整用レンズを光軸に対して直交方向に位置調整することが可能となる。また、鏡筒には外側レンズ枠のネジを回動調整するための孔を設けるだけで良いため、光学性能への影響が大きい偏心調整に最適なレンズが、レンズ枠に一体的に保持されるレンズ群の一部のレンズであったとしても、容易にそのレンズを偏心調整するための機構をレンズ鏡筒に設けることができる。
【００１０】
また、このような偏心調整機構を設ける場合において、内側レンズ枠に保持された偏心調整用レンズを偏心調整した際に、そのレンズの光軸方向の位置や倒れ角までもが変化してしまうと最適な状態に設定することが難しく、また、光学性能が悪化してしまう恐れもあるため、偏心調整用レンズが光軸に対して直交方向のみに変位するような規制手段が必要となる。この規制手段についても、特許文献１、２の構成が適用できる。これによれば、外側レンズ枠に径方向内向きに突出した係止部が形成され、外側レンズ枠の一方の開口（挿入開口）から偏心調整用レンズを保持した内側レンズ枠を挿入すると、内側レンズ枠又は偏心調整用レンズの挿入側の端部がその係止部に係止される。これにより、偏心調整用レンズの抜け落ち防止と、光軸方向の位置決めが行なわれる。そして、内側レンズ枠の挿入後に波板バネやゴムなどの環状の弾性部材が挿入された後、外側レンズ枠の内周面とネジ結合される押さえ環がねじ込まれて係止部と押さえ環との間に偏心調整用レンズと弾性部材が挟み込まれた状態で固定される。従って、偏心調整用レンズは弾性部材により係止部側に付勢された状態となり、光軸方向の位置や倒れ角を変化させることなく偏心調整用レンズを光軸に対して直交方向に変位させることができる。
【００１１】
しかしながら、上記のように特許文献１、２に倣った構成による偏心調整機構では弾性部材と押さえ環が必要であるため、部品点数を削減して組立工数の削減とコストの削減を図る上で、より簡易な構造が期待される。
【００１２】
また、外側レンズ枠内において偏心調整用レンズよりも挿入開口側にレンズ（開口側レンズ）が保持される場合、即ち、偏心調整用レンズが外側レンズ枠に保持されるレンズ群の両端以外のレンズの場合には、上記のような押さえ環では光軸方向の位置が正確ではないため、開口側レンズを規定の位置に位置決めするための固定部位を外側レンズ枠内に形成する必要がある。そのため構成が複雑になると共に、偏心調整用レンズと開口側レンズとの間に上記の弾性部材及び間隔環と位置決め用の固定部位を配置する必要があるため、それらの構成部によって偏心調整用レンズと開口側レンズとの間隔を狭めるには限界があり、光学設計上の制限も生じるという問題がある。
【００１３】
本発明はこのような事情に鑑みてなされたもので、レンズ枠（外側レンズ枠）により一体的に保持される複数のレンズからなるレンズ群の両端以外の一部のレンズを偏心調整用レンズとして光軸に対して直交方向に変位させて偏心調整を行う偏心調整機構を設ける場合に、部品点数を削減して組立工数とコストの削減を図ると共に、外側レンズ枠の内部構造を簡素化することができる偏心調整機構を備えたレンズ鏡筒を提供することを目的とする。
【課題を解決するための手段】
【００１４】
前記目的を達成するために、請求項１に係る偏心調整機構を備えたレンズ鏡筒は、レンズ鏡筒の固定筒の内部に配置されるレンズ枠であって、複数のレンズにより構成されるレンズ群を一体的に保持すると共に、光軸方向の前端側と後端側に開口を有する円筒状の第１レンズ枠と、前記レンズ群を構成する一部のレンズであって偏心調整を行う偏心調整用レンズを保持すると共に、前記第１レンズ枠の一方の挿入開口から挿入されて前記第１レンズ枠の内部に収容保持される円筒状の第２レンズ枠と、前記第１レンズ枠の内周面に周方向に沿って径方向内向きに突出形成され、前記第１レンズ枠の内部に前記挿入開口から挿入する際の挿入側となる前記第２レンズ枠の挿入側端部又は前記偏心調整用レンズの挿入側端部を光軸方向に係止する係止部と、前記第１レンズ枠の前記挿入開口から挿入されて前記偏心調整用レンズよりも前記挿入開口側に配置され、前記偏心調整用レンズの前記挿入側端部と反対側の非挿入側端部に当接する押さえ環と、前記第１レンズ枠の前記挿入開口から挿入されて前記押さえ環よりも前記挿入開口側に配置され、前記押さえ環に当接する開口側レンズと、前記第１レンズ枠の内部に収容保持された前記第２レンズ枠の位置に前記第１レンズ枠の外周面から内周面まで貫通するように径方向に形成されたネジ孔と、前記ネジ孔に螺合されて前記第２レンズ枠の外周面に当接し、光軸と直交する方向に関して前記第２レンズ枠を前記第１レンズ枠に対して固定するネジであって、前記ネジ孔へのねじ込み量を調整することにより前記第２レンズ枠の固定位置を調整して前記第２レンズ枠に保持された前記偏心調整用レンズの偏心調整を行うための止めネジと、前記レンズ鏡筒の少なくとも前記固定筒の外側から前記ネジ孔まで貫通するように径方向に設けられ、前記ネジ孔に螺合された前記止めネジのねじ込み量を調整するための工具が挿通される工具挿通孔と、を備え、前記偏心調整用レンズは、前記非挿入側端部において光軸に対して直交方向に摺動可能に前記押さえ環に当接する当接面を有し、該当接面は光軸に対して直交する平面により形成され、前記押さえ環は、前記偏心調整用レンズの前記当接面に当接する端面を有し、該端面は光軸に対して直交する平面により形成されたこと、を特徴としている。
【００１５】
本発明によれば、第１レンズ枠内において、偏心調整用レンズと開口側レンズとの間に押さえ環を配置すると共に、その押さえ環と偏心調整用レンズの当接部分を光軸に対して直交する平面により形成し、偏心調整用レンズを光軸に対して直交方向のみに摺動可能に保持したため、偏心調整用レンズと開口側レンズとの間に配置する部品が押さえ環のみとなり、部品点数が削減されて組立工数及びコストの削減が図られる。また、偏心調整用レンズの偏心調整によって押さえ環の位置が光軸方向に変化することがなく、押さえ環が規定の位置に固定されるため、押さえ環を開口側レンズの位置決め用の固定部位として利用することができ、第１レンズ枠内に開口側レンズの位置決め用の固定部位を形成することも不要となり、第１レンズ枠の構成の簡素化も図ることができる。
【００１６】
請求項２に係る偏心調整機構を備えたレンズ鏡筒は、請求項１に係る発明において、前記ネジ孔は、前記第１レンズ枠の周方向に沿って少なくとも３箇所以上の位置に形成されたことを特徴としている。止めネジが螺合されるネジ孔は３箇所以上あれば、偏心調整用レンズを光軸に対して直交方向の所望の位置に調整することができる。
【００１７】
請求項３に係る偏心調整機構を備えたレンズ鏡筒は、請求項１、又は、２に記載の発明において、前記係止部は、前記第１レンズ枠の内部に形成された異なる内径の内周面の接続部分の段差において形成された光軸に対して直交する壁面であり、前記係止部に当接する前記第２レンズ枠の挿入側端部又は前記偏心調整用レンズの挿入側端部は、光軸に対して直交方向に摺動可能に前記壁面に当接する当接面を有し、該当接面は光軸に対して直交する平面により形成されたことを特徴としている。本発明は、偏心調整用レンズと押さえ環との当接面だけでなく、偏心調整用レンズに対して押さえ環と反対側に配置される係止部と偏心調整用レンズ又は第２レンズ枠との当接面も光軸に対して直交方向の平面とし、光軸に対して直交方向にのみ偏心調整用レンズが変位するように規制した態様である。
【００１８】
請求項４に係る偏心調整機構を備えたレンズ鏡筒は、請求項１、２、又は、３に記載の発明において、前記第２レンズ枠の外周面は、前記挿入側端部と反対側の非挿入側端部から前記挿入側端部に向けて徐々に拡径された傾斜面により形成されたことを特徴としている。
【００１９】
本発明によれば、偏心調整のために止めネジを締め込む際に、第２レンズ枠には挿入側端部側への力が働くため、偏心調整用レンズ又は第２レンズ枠の挿入側端部が係止部に当接した状態が確実に維持される。従って、偏心調整によって偏心調整用レンズが光軸方向に変位することや傾くことが確実に防止され偏心調整用レンズの光軸方向の位置が係止部によって精度良く位置決めされた状態に保持される。また、止めネジを締め込む際に開口側レンズにかかる負荷も確実に防止され、開口側レンズが第１レンズ枠から離脱する等の不具合も防止される。
【００２０】
請求項５に係る偏心調整機構を備えたレンズ鏡筒は、請求項１、２、３、又は、４に記載の発明において、前記第１レンズ枠に保持されるレンズ群は、前記レンズ鏡筒の固定筒の内部に配置される光学系のうちの後側マスターレンズ群であることを特徴としている。本発明は光学系の光学特性に影響の大きい後側マスターレンズ群に請求項１〜４に記載の発明を適用することを示す。
【発明の効果】
【００２１】
本発明によれば、レンズ枠（外側レンズ枠）により一体的に保持される複数のレンズからなるレンズ群の両端以外の一部のレンズを偏心調整用レンズとして光軸に対して直交方向に変位させて偏心調整を行う偏心調整機構を設ける場合に、部品点数を削減して組立工数とコストの削減を図ることができると共に、外側レンズ枠の内部構造を簡素化することができる。
【図面の簡単な説明】
【００２２】
【図１】本発明が適用されるレンズ鏡筒全体を一部断面で示した側面図。
【図２】本発明に係る偏心調整機構が設けられる後側マスターレンズ群の周辺部の構成を示した拡大断面図。
【図３】図２の一部を示した要部拡大図。
【図４】図２の一部を変更した他の実施の形態を示す要部拡大図。
【発明を実施するための形態】
【００２３】
以下、添付図面に従って本発明に係る偏心調整機構を備えたレンズ鏡筒を実施するための形態を詳述する。
【００２４】
図１は、本発明が適用されるレンズ鏡筒全体を一部断面で示した側面図である。同図のレンズ鏡筒１０は、主に放送用又は業務用として取材等において携帯されて使用されるＥＮＧ(Electric News Gathering)カメラと呼ばれるレンズ交換式のカメラ装置にマウントにより装着されるインナーフォーカス式のレンズ鏡筒である。
【００２５】
レンズ鏡筒１０は、ネジなどにより連結されて一体化された不動の固定筒１１を有し、その固定筒１１は、主として中央部の中央固定筒１２と、中央固定筒１２に固定されて前側に配置された前側固定筒１４と、中央固定筒１２に固定されて後側に配置された後側固定筒１６とを有している。
【００２６】
固定筒１１の内部には被写体光を取り込んで結像する光学系が配置されており、光学系は、周知のように光軸に沿って前段側（光軸方向被写体側）からフォーカス光学系２０、ズーム光学系２２、アイリス２４、マスター光学系２６を有している。
【００２７】
フォーカス光学系２０は、ピントを合わせる被写体距離、即ち、焦点位置を調整（フォーカス調整）するための光学系であり、一定位置に固定された固定フォーカスレンズ群２０Ａと光軸方向に前後移動可能に支持された移動フォーカスレンズ群２０Ｂとからなる。移動フォーカスレンズ群２０Ｂが移動することにより焦点位置が変化する。
【００２８】
ズーム光学系２２は、ズーム倍率、即ち、焦点距離を調整するための光学系であり、光軸方向に前後移動可能に支持された変倍系レンズ群２２Ａと補正系レンズ群２２Ｂとからなる。変倍系レンズ群２２Ａが移動することによって焦点距離が変化し、補正系レンズ群２２Ｂが移動することによって変倍系レンズ群２２Ａの移動による焦点位置の変化が抑止される。変倍系レンズ群２２Ａと補正系レンズ群２２Ｂとはカム筒３０のカム機構によって予め決められた位置関係に従って連動して移動する。
【００２９】
アイリス２４は、光量調整のために絞り羽根を開閉動作させて開口径を変化させる。
【００３０】
マスター光学系２６は、最終的に像を結像させるための光学系であり、前側マスターレンズ群２６Ａと後側マスターレンズ群２６Ｂとからなる。前側マスターレンズ群２６Ａは一定位置に固定され、後側マスターレンズ群２６Ｂは、バックフォーカス調整等のために光軸に沿って移動可能に支持されている。
【００３１】
一方、固定筒１１には、上記移動可能に支持された移動フォーカスレンズ群２０Ｂ、ズーム光学系２２（変倍系レンズ群２２Ａ及び補正系レンズ群２２Ｂ）、アイリス２４、後側マスターレンズ群２６Ｂの各々を駆動するためのフォーカス駆動機構、ズーム駆動機構、アイリス駆動機構、マスター駆動機構が設けられている。
【００３２】
駆動機構の詳細については省略するが，固定筒１１の外周部にはフォーカスリング４０、ズームリング４２、アイリスリング４４、バックフォーカス調整リング４６が回動可能に配置されており、フォーカス駆動機構は、フォーカスリング４０の回動力によって移動フォーカスレンズ群２０Ｂが光軸方向に前後移動するように構成され、ズーム駆動機構は、ズームリング４２の回動力によってズーム光学系２２が光軸方向に前後移動するように構成され、アイリス駆動機構は、アイリスリング４４の回動力によってアイリス２４が開閉動作するように構成され、マスター駆動機構は、バックフォーカス調整リング４６の回動力によって後側マスターレンズ群２６Ｂが光軸方向に前後移動するように構成されている。
【００３３】
続いて、上記のレンズ鏡筒１０に設けられる偏心調整機構について説明する。上記のレンズ鏡筒１０には、光学系全体の光学性能への影響が大きいレンズとして後側マスターレンズ群２６Ｂの一部のレンズを光軸に対して直交方向に位置調整して偏心調整を行うための偏心調整機構が設けられている。
【００３４】
図２は、後側マスターレンズ群２６Ｂの周辺部の構成を示した拡大断面図である。同図に示すように後側マスターレンズ群２６Ｂは、５枚のレンズ（単レンズ）Ｇ１〜Ｇ５により構成されており、レンズＧ２〜Ｇ４は、各々の対向面で接合されて１枚のレンズ（接合レンズ）Ｇ２′を構成している。
【００３５】
これらの後側マスターレンズ２６Ｂの各レンズＧ１〜Ｇ５は、外側レンズ枠５０の内部に保持されて固定筒１１（後側固定筒１６）内に配置されるようになっている。
【００３６】
外側レンズ枠５０は、内径が異なる第１円筒部５２、第２円筒部５４及び第３円筒部５６を有しており、それらの第１円筒部５２〜第３円筒部５６が前側から順に配置されている。第２円筒部５４には、第２円筒部５４の内周面の前側よりも縮径された内周面を有する偏心調整部５５が含まれている。
【００３７】
各円筒部５２〜５６の間は、各円筒部５２〜５６に連設された接続部５８、５９によって連結されており、第１円筒部５２〜５６は例えばプラスチックにより一体形成されている。
【００３８】
また、第３円筒部５６の内部には、径方向内向きに突出したストッパ６０が周方向に沿って環状に形成されている。
【００３９】
なお、詳細は省略するが、第１円筒部５２の外周面は、固定筒１１内に配置された移動筒１７の内周面に例えばネジ結合されており、移動筒１７がバックフォーカス調整リング４６の回動により光軸方向に前後移動することによって外側レンズ枠５０も全体として光軸方向に前後移動するようになっている。
【００４０】
図２に示すように第１円筒部５２は最も内径が大きく、その内部にはレンズＧ１が保持されるようになっている。第１円筒部５２の後段の第２円筒部５４は、第１円筒部５２よりも内径が小さく、その内部に内側レンズ枠９０が保持されると共に、その内側レンズ枠９０に保持されたレンズＧ２′（Ｇ２〜Ｇ４）が配置されるようになっている。第２円筒部５４の後段の第３円筒部５６は、内径が最も小さく、その内部にレンズＧ５が保持されるようになっている。
【００４１】
第２円筒部５４に配置されるレンズＧ２′はレンズ鏡筒１０における光学系全体の光学性能への影響が大きいため後述の止めネジ１２０のネジ込み量を調整することによって、光軸に対して直交方向に偏心調整を行えるようになっており、レンズＧ２′は上記のように内側レンズ枠９０に保持された状態で第２円筒部５４内に配置されている。
【００４２】
レンズＧ２′は、口径の異なる３枚のレンズＧ２、Ｇ３、Ｇ４が接合されたものであり、内側レンズ枠９０は、円筒状に形成され、それらのレンズＧ２〜Ｇ４のうちの中間の大きさの口径（外径）を有する最後部のレンズＧ４の口径に略一致する内周面を有している。そして、内側レンズ枠９０内にレンズＧ４が嵌め込まれることによって、内側レンズ枠９０の内周面にレンズＧ４の外周面全体が密着し、レンズＧ４が内側レンズ枠９０に保持されると共に、レンズＧ４を含んで一体化されたレンズＧ２′が内側レンズ枠９０に保持されるようになっている。
【００４３】
また、内側レンズ枠９０の外周面は、第２円筒部５４の一部とした偏心調整部５５の内周面よりも僅かに小さい径を有しており、偏心調整部５５のネジ孔１１０に螺合した止めネジ１２０により外周面側から径方向に押圧されて、外側レンズ枠５０内（第２円筒部５４内）で光軸に対して直交方向に変位すると共に所望の位置に固定されるようになっている。また、その押圧力によってレンズＧ２′に歪みが生じにないように内側レンズ枠９０は例えば金属（アルミニウム等）のように硬い材料により形成されている。
【００４４】
図３の要部拡大図にも示すようにレンズＧ２′の後側のレンズ面（レンズＧ４の後面）と前側のレンズ面（レンズＧ２の前面）が曲面で形成されているのに対して、レンズＧ２′の後側縁部（レンズＧ４の後面の周縁部）と、前側縁部（レンズＧ２の前面の周縁部）の各々には、光軸に対して直交する平面である当接面９２、９４が環状に形成されている。
【００４５】
レンズＧ２′の後側縁部の当接面９２は、第２円筒部５４（偏心調整部５５）と第３円筒部５６とを接続する接続部５９において形成された段差部分の壁面５９Ａに当接した状態で配置される。壁面５９Ａは、光軸に対して直交する平面であり、当接面９２と壁面５９Ａは光軸に対して直交する平面同士が面接触した状態となっている。当接面９２は、レンズＧ２′の光軸に対する直交方向への偏心調整に対して壁面５９Ａに摺動可能に当接する平面部分であり、レンズＧ２′を所定の変位範囲で偏心調整可能とした場合に少なくともその変位範囲において壁面５９Ａが当接するレンズＧ２′の後側縁部の範囲が当接面９２として平面により形成されている。なお、レンズＧ２′の後側端部を壁面５９Ａに当接するのではなく、レンズＧ２′に対して所定位置に固定された内側レンズ枠９０の後端部に例えば光軸に対して直交する平面を形成し、その部分を壁面５９Ａに摺動可能に当接させるようにしてもよい。ただし、レンズＧ２′を壁面５９Ａに直接当接させた方が、レンズＧ２′の位置決め精度が高いため好適である。
【００４６】
一方、レンズＧ２′の前側縁部の当接面９２には、レンズＧ２′の前段において第１円筒部５２と第２円筒部５４とを接続する接続部５８に配置される押さえ環１００（間隔環としての作用も有する）の後端部の端面１００Ａが当接する。押さえ環１００の端面１００Ａも光軸と直交する平面であり、当接面９４と端面１００Ａは光軸に対して直交する平面同士が面接触した状態となっている。また、当接面９４も当接面９２と同様に、レンズＧ２′の光軸に対する直交方向への偏心調整に対して押さえ環１００の端面１００Ａに摺動可能に当接する平面部分であり、レンズＧ２′を所定の変位範囲で偏心調整可能とした場合に少なくともその変位範囲において押さえ環１００の端面１００Ａが当接するレンズＧ２′の前側縁部の範囲が当接面９４として平面により形成されている。
【００４７】
押さえ環１００の前側にはレンズＧ１が配置され、レンズＧ１は、押さえ環１００の後端部の端面１００ＡをレンズＧ２′の当接面９４に押付けた状態で外側レンズ枠５０（第１円筒部５２）の前端部において熱カシメなどにより固定される。従って、レンズＧ２′は、後側縁部の当接面９２が壁面５９Ａに押し当てられた状態で第２円筒部５４内に収容され、光軸方向への変位が規制されると共に、押さえ環１００の当接面１００Ｂにより光軸方向の位置が位置決めされている。なお、押さえ環１００の前側の当接面１００Ｂは、レンズＧ１の後面の予定された当接部分の形状に略合致する面形状で形成されており、レンズＧ１の光軸方向の位置は、レンズＧ２及び押さえ環１００を介して壁面５９Ａから決められた距離の位置に精度良く位置決めされている。また、外側レンズ枠５０（第１円筒部５２）に固定されたレンズＧ１によって押さえ環１００の光軸方向の位置と光軸に直交する方向の位置が固定される。
【００４８】
ここで、外側レンズ枠５０の内部に後側マスターレンズ群２６ＢのレンズＧ１〜Ｇ５を組み込む際の手順について説明すると、まず、内側レンズ枠９０内に嵌め込まれたレンズＧ２′が内側レンズ枠９０と共に外側レンズ枠５０の前側開口から挿入される。そして、第２円筒部５４の位置まで進入し、レンズＧ２′の後側縁部の当接面９２が壁面５９Ａに当接する。これにより、レンズＧ２′と内側レンズ枠９０が壁面５９Ａによって光軸方向に位置決めされた状態で第２円筒部５４内に収容される。
【００４９】
次に、押さえ環１００が外側レンズ枠５０の前側開口から挿入される。そして、第１円筒部５２と第２円筒部５４とを接続する接続部５８の位置まで進入して押さえ環１００の端面１００ＡがレンズＧ２′の前側縁部の当接面９４に当接する。これにより、押さえ環１００がレンズＧ２′を介して壁面５９Ａによって光軸方向に位置決めされた状態で第１円筒部５２と第２円筒部５４との境界部分に収容される。
【００５０】
続いて、レンズＧ１が外側レンズ枠５０の前側開口から挿入され、レンズＧ１の後側縁部が押さえ環１００の前側の当接面１００Ｂに当接する位置まで進入する。これにより、レンズＧ１が押さえ環１００とレンズＧ２′を介して壁面５９Ａによって光軸方向に位置決めされた状態で第１円筒部５２内に収容される。そして、レンズＧ１の前側縁部が外側レンズ枠５０（第１円筒部５２）の前端部において熱カシメなどの接着手段により固定され、レンズＧ１とそれより先に挿入されたレンズＧ２′、押さえ環１００が光軸方向への変位が規制された状態で外側レンズ枠５０内に保持される。レンズＧ１と押さえ環１００は、光軸に対して直交方向への変位も規制された状態で外側レンズ枠５０内に保持される。
【００５１】
また、レンズＧ５は、外側レンズ枠５０の後側開口から挿入されるようになっており、そのレンズＧ５レンズＧ５の前側縁部がストッパ６０に当接する位置まで進入する。これにより、レンズＧ５がストッパ６０により光軸方向に位置決めされた状態で第３円筒部５６内に収容される。そして、レンズＧ５の後側縁部が外側レンズ枠５０（第３円筒部５６）の後端部において熱カシメなどの接着手段により固定さてレンズＧ５が第３円筒部５６内に保持される。
【００５２】
一方、外側レンズ枠５０の第２円筒部５４（偏心調整部５５）に設けられるネジ孔１１０は、周方向に沿った等角度間隔（９０度間隔）となる４箇所の位置に径方向に貫通形成されている。これらのネジ孔１１０には、例えば先端が平らに加工されたとがり先の止めネジ１２０がねじ込まれて、その止めネジ１２０の先端が内側レンズ枠９０の外周面に押し当てられるようになっている。
【００５３】
これによれば、例えば、対向する２つのネジ孔１１０、１１０に螺合された２つの止めネジ１２０、１２０のうちの一方の止めネジ１２０を弛めて、他方の止めネジ１２０を締め込むようにして、各ネジ孔１１０の止めネジ１２０のねじ込み量を調整することによって、内側レンズ枠９０を光軸に対して直交方向（上下方向と左右方向）に変位させることができ、これによって、内側レンズ枠９０内に保持されたレンズＧ２′を光軸に対して直交方向に位置調整して偏心調整を行うことができるようになっている。また、内側レンズ枠９０は金属のような硬質の材料で成形されているため、止めネジ１２０により内側レンズ枠９０に大きな圧力が加えられた場合にレンズＧ２′が歪むという事態も防止されている。
【００５４】
また、止めネジ１２０は、例えば、マイナスドライバの先端を差し込む凹溝１２０Ａを有すると共に、外側レンズ枠５０の外周部に配置される固定筒１１等のレンズ鏡筒１０の構成部材には、それらの外側（少なくとも固定筒１１の外側）からネジ孔１１０まで径方向に貫通する貫通孔１３０が形成されている。従って、レンズ鏡筒１０を組み立てた後に、レンズ鏡筒１０の外側から貫通孔１３０にマイナスドライバを差し込むことによって止めネジ１２０の凹溝１２０Ａにマイナスドライバの先端を差し込んで止めネジ１２０を回転させることができ、４箇所の止めネジ１２０のねじ込み量（締め込み具合）を調整することによって、レンズＧ２′を光軸に対して直交方向に位置調整して光学性能が最良となるように偏心調整を行うことができるようになっている。なお、各ネジ孔１１０に対して径方向の位置に複数の部材が配置される場合にはそれらの部材の全てに各ネジ孔１１０まで貫通するように孔を形成しておき、止めネジ１２０の位置まで外側からドライバを差し込めるようにすれば良く、又は、固定筒１１から容易に取り外すことができる部材にはそのような孔を形成することなく、偏心調整の際にその部材を取り外すようにしても良い。
【００５５】
ところで、レンズＧ２′の前面全体（レンズＧ２の前面）が凸状又は凹状のように曲面形状を有し、前端縁部もその形状に倣って曲面形状を有しているとする。このとき、上記実施の形態の押さえ環１００の当接面１００ＡはレンズＧ２′の前端縁部に面では接触せず、レンズＧ２′を光軸に対して直交方向に偏心調整すると、押さえ環１００の当接面１００Ａに当接するレンズＧ２′の前端縁部の位置が変化して、その位置から壁面５９Ａに当接するレンズＧ２の後端縁部の位置までのレンズ幅が変化する。そのため、押さえ環１００の当接面１００Ａと壁面５９Ａの間に隙間が生じたり、押さえ環１００等に無理な圧力が加わり、レンズＧ２′が光軸方向に変位したり、傾く可能性がある。押さえ環１００の当接面１００ＡをレンズＧ２′の前端縁部の所定部分の形状に一致させた形状とした場合には、レンズＧ２′が完全に固定され、光軸に対して直交方向に変位させることが困難となり、無理に変位させると押さえ環１００を前方に押し出してしまいレンズＧ１の位置が変化してしまうことや、レンズＧ１が外側レンズ枠５０から離脱してしまう可能性もある。
【００５６】
そこで、従来における偏心調整機構では、レンズＧ２′の前段にその前端縁部に当接する波板バネのような環状の弾性部材が配置され、その弾性部材の前段に外側レンズ枠の内周面にネジ結合等によって固定される押さえ環が配置されている。これによれば、レンズＧ２′を光軸に対して直交方向に偏心調整した場合でも、レンズＧ２′の前端縁部に弾性部材が当接する状態が維持され、その弾性部材の弾性力によりレンズＧ２′の後側縁部が壁面５９Ａに確実に押し当てられるため、レンズＧ２′が光軸に対して直交方向のみに変位するようになっている。
【００５７】
しかしながら、このような従来の偏心調整機構では、弾性部材と押さえ環の２つの部品が必要となる。また、その押さえ環が外側レンズ枠内に固定される位置は弾性部材をレンズＧ２′との間に挟み込む関係上、精度が高くないため、レンズＧ１の位置決め用の固定部位としては使用することができず、レンズＧ１を位置決めするための固定部位を別の位置に形成する必要がある。
【００５８】
一方、上記実施の形態では、レンズＧ２′の前面が曲面形状の場合にその前端縁部に光軸と直交する平面である当接面９４を形成すると共に、押さえ環１００に光軸と直交する平面である当接面１００Ａを形成し、押さえ環１００の当接面１００ＡをレンズＧ２′の当接面９４に当接するようにしている。これによれば、押さえ環１００の当接面１００Ａに当接するレンズＧ２′の当接面９４と壁面５９Ａに当接するレンズＧ２′の後側縁部の当接面９２との間隔が一定であり、レンズＧ２′を光軸に対して直交方向に偏心調整した場合でも当接面１００Ａと壁面５９Ａとの間に隙間が生じることなく、従来のように弾性部材を使用しなくてもレンズＧ２′が壁面５９Ａに当接した状態に維持されるようになっている。従って、偏心調整によってレンズＧ２′が光軸方向に変位したり傾くなどの不具合が生じることなく、光軸に対して直交方向のみにレンズＧ２′を変位させることができるようになっている。そして、１つの押さえ環１００を配置するだけで良いため、従来の偏心調整機構よりも部品点数が削減され、組立工数やコストの削減が図られている。
【００５９】
また、押さえ環１００は、レンズＧ２′の偏心調整を行った場合でも、レンズＧ２′を介して壁面５９Ａに対して光軸方向の一定距離の位置に精度良く固定されるため、レンズＧ１の位置決め用の固定部位としても利用することができ、上記実施の形態のようにレンズＧ１は押さえ環１００の前側の当接面１００Ｂに当接することによって位置決めされている。従って、レンズＧ１の位置決め用の固定部位を外側レンズ枠５０内に形成することが不要となり、外側レンズ枠５０の構造が簡素化されている。また、レンズＧ１とレンズＧ２′との間に配置される構成部が押さえ環１００のみであるため、レンズＧ１とレンズＧ２′の間隔を小さくすることができ、光学設計上の制限も軽減されている。
【００６０】
以上、上記実施の形態における内側レンズ枠９０は、単に円筒状の部材としたが、図４に示す内側レンズ枠９０′のように外周面が前端側から後端側に徐々に拡径された形状としても良い。この場合、偏心調整の際に止めネジ１２０を締め込んだときには内側レンズ枠９０′に後方（壁面５９Ａ側）への力が働き、レンズＧ２′の後側端部の当接面９２を壁面５９Ａに確実に当接させた状態に維持することができる。即ち、止めネジ１２０を締め込んだ際にレンズＧ２′に前方への力が働き、レンズＧ２′の後側端部の当接面９２が壁面５９Ａから離間してしまう不具合や、その力によってレンズＧ１に前方への負荷が加わり、熱カシメ等によって外側レンズ枠５０に固定されているレンズＧ１が外側レンズ枠５０から離脱してしまう不具合などが確実に防止されるようになる。
【００６１】
また、上記実施の形態では、外側レンズ枠５０の周方向に沿った４箇所の位置に止めネジ１２０が螺合されるネジ孔１１０を形成したが、止めネジ１２０は３箇所以上の位置に形成されていれば良い。
【００６２】
また、上記実施の形態において、外側レンズ枠５０内に内側レンズ枠９０を収容保持するための構造は前後が反対となるような構造であってもよい。
【００６３】
また、上記実施の形態では、後側マスターレンズ群２６Ｂの一部のレンズを偏心調整する場合の偏心調整機構について説明したが、他のレンズ群のレンズを偏心調整する場合においても上記実施の形態と同様の構成を適用できる。また、レンズ鏡筒の種類も上記実施の形態のＥＮＧカメラに使用されるレンズ鏡筒以外のものでも適用できる
【符号の説明】
【００６４】
１０  レンズ鏡筒
１１  固定筒
１２  中央固定筒
１４  前側固定筒
１６  後側固定筒
１７  移動筒
２０  フォーカス光学系
２２  ズーム光学系
２４  アイリス
２６  マスター光学系
２０Ａ  固定フォーカスレンズ群
２０Ｂ  移動フォーカスレンズ群
２２Ａ  変倍系レンズ群
２２Ｂ  補正系レンズ群
２６Ａ  前側マスターレンズ群
２６Ｂ  後側マスターレンズ群
３０  カム筒
３０Ａ、３０Ｂ  カム溝
３０Ｃ  ネジ孔
４０  フォーカスリング
４２  ズームリング
４４  アイリスリング
４６  バックフォーカス調整リング
５０  外側レンズ枠
５２  第１円筒部
５４  第２円筒部
５５  偏心調整部
５６  第３円筒部
５８、５９  接続部
５９Ａ  壁面
６０  係止部
９０、９０′  内側レンズ枠
９２、９４  当接面
１００  押さえ環
１００Ａ  端面
１００Ｂ  当接面
１１０  ネジ孔
１２０  止めネジ
１３０  貫通孔
【図１】
2012042540.tif 000003
【図２】
2012042540.tif 000004
【図３】
2012042540.tif 000005
【図４】
2012042540.tif 000006